(57)【要約】【課題】  蓋体の一部を開封した後に閉蓋状態の保持を簡単且つ安価な構成で、しかも容易な作業により達成することのできる閉蓋状態保持機能付きカップ状容器を創出することを課題とする。【解決手段】  上縁部にフランジ（５）が周設された有底カップ状の容器本体（２）と、フランジ（５）よりも外周方向に突出するタブ（８）を有すると共にフランジ（５）に接合されて容器本体（２）を封止する蓋体（７）と、を備えたカップ状容器において、タブ（８）にスリット（９）を入れて形成した係止凸片（１０）が設けられており、係止凸片（１０）と係止凸片（１０）以外のタブ（８）との間にフランジ（５）の先端に設けられた被係止部（５ｂ）を挟み込むことにより、一部開封された蓋体（７）が閉蓋状態に設定される構成とする。【選択図】  図４
2012176792.tif 000002
【特許請求の範囲】
【請求項１】
上縁部にフランジ（５）が周設された有底カップ状の容器本体（２）と、前記フランジ（５）よりも外周方向に突出するタブ（８）を有すると共に前記フランジ（５）に接合されて前記容器本体（２）を封止する蓋体（７）と、を備えたカップ状容器において、
前記タブ（８）にスリット（９）を入れて形成した係止凸片（１０）が設けられており、該係止凸片（１０）と該係止凸片（１０）以外のタブ（８）との間にフランジ（５）の先端に設けられた被係止部（５ｂ）を挟み込むことにより、一部開封された蓋体（７）が閉蓋状態に設定されるようにしたことを特徴とする閉蓋状態保持機能付きカップ状容器。
【請求項２】
被係止部（５ｂ）が、フランジ（５）の先端に全周に亘って形成されている請求項１記載の閉蓋状態保持機能付きカップ状容器。
【請求項３】
被係止部（５ｂ）が、フランジ（５）の周方向の一箇所で且つタブ（８）と重なる同じ位置に凸状に突設されている請求項１記載の閉蓋状態保持機能付きカップ状容器。
【請求項４】
被係止部（５ｂ）が、容器本体（２）の上縁部から水平に延設されたフランジ（５）の先端に形成されている請求項１乃至３のいずれか一項に記載の閉蓋状態保持機能付きカップ状容器。
【請求項５】
フランジ（５）に折り返し部（５ｃ）が形成されており、被係止部（５ｂ）が前記折り返し部（５ｃ）から垂下した前記フランジ（５）の下端に形成されている請求項１乃至３のいずれか一項に記載の閉蓋状態保持機能付きカップ状容器。
【請求項６】
被係止部（５ｂ）が、折り返し部（５ｃ）を介して垂直姿勢と水平姿勢との間で遷移可能とされている請求項５記載の閉蓋状態保持機能付きカップ状容器。
【発明の詳細な説明】
【技術分野】
【０００１】
本発明は、カップ麺など即席食品の包装に使用するカップ状容器に関わり、特に、即席食品を食するために蓋体を剥がし、熱湯を注ぎ、蓋体を再封して、蒸らし調理を行っている最中に、蓋体が開封してしまうことを防止した閉蓋状態保持機能付きカップ状容器に関する。
【背景技術】
【０００２】
カップ麺などの即席食品を収納するカップ状容器は、先ずカップ状容器のフランジからシート状の蓋体の一部分を剥がし、その開口部から、一旦、液体スープの素や具の入った袋を取り出す。次に、袋の中身だけをカップ状容器内に戻して熱湯を注ぎ、開封後の蓋体でカップ状容器の開口部を再封する。そして、この状態で所定時間蒸らすことにより、調理が完成しカップ状容器内の即席食品を食することが可能となっている。
【０００３】
従来、蒸らし調理中に蓋体が開封することを防止する手段としては、例えば蓋体の上に支持部材を載せたり、容器本体側のフランジと蓋体とを洗濯バサミのような挟持部材で挟むなど他の部材を用いて行うものがある（例えば、特許文献１、特許文献２参照）。
【０００４】
また即席食品を包装するカップ状容器に閉蓋状態を保持する機能を持たせた技術としては、例えば以下の特許文献３などが存在する。
特許文献３に記載の発明は、表基材層２０、剥離剤層１４及びプラスチックフィルム層５０を備えた積層体構造の蓋材Ａの表基材層２０にフック部１が、プラスチックフィルム層５０にフック部差込用切れ目２が形成されており、蓋材Ａの開封用プルタブ５をつまんで蓋材Ａを容器本体Ｂから開封すると、表基材層２０にフック部１が形成され、剥離剤層１４が設けられた剥離領域Ｃ内にプラスチックフィルム層５０が露出し、フック部１を差し込むためのフック部差込用切れ目２が現出する。そして、蓋材Ａのフック部１をフック部差込用切れ目２に差し込むことにより、閉蓋状態を保持することができるようになっている。
【先行技術文献】
【特許文献】
【０００５】
【特許文献１】特開２０００−６９９２４号公報
【特許文献２】特開２００７−１３０４３２号公報
【特許文献３】特開２００６−１０３７４６号公報
【発明の概要】
【発明が解決しようとする課題】
【０００６】
しかし、特許文献１及び特許文献２に記載のものは支持部材や挟持部材などの他の部材を使用する構成であるところ、即席食品を調理する際、常に他の部材が身近にあるとは限らないし、また即席食品の数よりも支持部材や挟持部材の数が少ない場合もあり、他の部材を用いて閉蓋状態を保持することは必ずしも適切な手段であるとは云い難い。
【０００７】
他方、特許文献３に記載の発明では、蓋材側にフック部とフック部差込用切れ目の双方を形成する構成であるため、蓋材を形成するシートの構成が複雑となり製造コストが高騰しやすいという問題がある。
【０００８】
またフック部１は、開封用プルタブ５部分に設けられる構成ではなく、フック部差込用切れ目２と共に開封用プルタブ５近傍の剥離領域Ｃに設けられる構成であるところ、剥離領域Ｃは容器本体Ｂの外縁部６よりも開口部の中心側に張り出す構造となっている（引用文献３の図２参照）。このため、このような容器を用いた即席食品では、麺やスープが中心側に張り出した剥離領域Ｃに引っ掛かりやすく、食事をスムーズに行うことが困難であるという問題がある。
【０００９】
さらに閉蓋状態とするには、フック部をフック用差込切れ目に差し込む必要があるところ、不慣れな者や視力に問題がある者（特に、老眼を患う者）にはフック部を小さな切れ目に差し込む作業は困難を伴うという問題がある。
【００１０】
本発明は、上記した従来技術における問題点を解消すべく、蓋体の一部を開封した後に閉蓋状態の保持を簡単且つ安価な構成で、しかも容易な作業により達成することのできる閉蓋状態保持機能付きカップ状容器を創出することを課題とする。
【課題を解決するための手段】
【００１１】
上記課題を解決するための手段のうち、本発明の主たる構成は、
上縁部にフランジが周設された有底カップ状の容器本体と、フランジよりも外周方向に突出するタブを有すると共にフランジに接合されて容器本体を封止する蓋体と、を備えたカップ状容器において、
タブにスリットを入れて形成した係止凸片が設けられており、この係止凸片とこの係止凸片以外のタブとの間にフランジの先端に設けられた被係止部を挟み込むことにより、一部開封された蓋体が閉蓋状態に設定されるようにしたことを特徴とする、と云うものである。
【００１２】
上記構成の閉蓋状態保持機能付きカップ状容器は、蓋体側のタブにスリットを入れて形成した係止凸片を、容器本体側のフランジの先端に係止させることにより、一部開封した蓋体を閉蓋状態に設定して保持することが可能となる。
【００１３】
また本発明の他の構成は、請求項１記載の発明において、被係止部が、フランジの先端に全周に亘って形成されている、と云うものである。
【００１４】
上記構成では、フランジ全周の被係止部としての利用を達成する。
【００１５】
また本発明の他の構成は、請求項１記載の発明において、被係止部が、フランジの一部で且つタブと重なる同じ位置に凸状に突設されている、と云うものである。
【００１６】
上記構成では、周方向におけるタブの形成位置と被係止部の形成位置を一致させた状態で、蓋体側の係止凸片と容器本体側の被係止部との間の係止を達成して閉蓋状態の保持を行う。
【００１７】
さらに本発明の他の構成は、請求項１、２、３記載の発明において、被係止部が、容器本体の上縁部から水平に延設されたフランジの先端に形成されている、と云うものである。
【００１８】
上記構成では、タブの姿勢を水平に維持した状態で、蓋体側の係止凸片と容器本体側の被係止部との係止を達成する。
【００１９】
また本発明の他の構成は、請求項１、２、３記載の発明において、フランジに折り返し部が形成されており、被係止部が折り返し部から垂下したフランジの下端に形成されている、と云うものである。
【００２０】
上記構成では、タブを、フランジの折り曲げ部に倣って折り曲げた垂直姿勢とした状態で、蓋体側の係止凸片と容器本体側の被係止部との係止を達成する。
【００２１】
また本発明の他の構成は、請求項５記載の発明において、被係止部が、折り返し部を介して垂直姿勢と水平姿勢との間で遷移可能とされている、と云うものである。
【００２２】
上記構成は、フランジの先端である被係止部を折り曲げ部を支点として変形可能な状態とすることにより、被係止部とこれに係止する係止凸片が形成されたタブとの姿勢について、垂直姿勢と水平姿勢との間の選択的な設定を達成する。
【発明の効果】
【００２３】
本発明は、上記した構成となっているので、以下に示す効果を奏する。
本発明の主たる構成においては、係止凸片は蓋体側のタブにスリットを入れて形成し、被係止部は容器本体側のフランジの先端を利用することにより簡単且つ安価に構成することができると共に、係止凸片を被係止部に係止させるだけという簡単な作業により、一部開封した蓋体を閉蓋状態に確実に設定して保持することができる。
しかも従来のように容器本体の開口端の中心側に張り出す剥離領域を不用とすることができるので、麺やスープをスムーズに取り出して食することが可能となる。
【００２４】
また、被係止部が、フランジの先端に全周に亘って形成されているとした構成にあっては、フランジの全周を被係止部とすることができるため、蓋体側のタブの形成位置が周方向に位置ずれしたカップ状容器であっても、閉蓋状態を確実に保持することが可能となる。
【００２５】
また、被係止部が、フランジの周方向の一箇所で且つタブと重なる同じ位置に凸状に突設されているとした構成にあっては、フランジを形成する原材料を少なくすることができるため、製造コストを低減することができる。さらに被係止部の形成位置を目視だけでなく、手で触れることによっても確認することが可能となり、より使いやすいカップ状容器とすることができる。
【００２６】
また、被係止部が、容器本体の上縁部から水平に延設されたフランジの先端に形成されているとした構成にあっては、タブを蓋体から水平姿勢を維持したままの状態で係止凸片のみを変形させることにより被係止部に係止させることができるため、簡単かつ迅速に閉蓋状態とすることが可能となる。
【００２７】
さらに、フランジに折り返し部が形成されており、被係止部が折り返し部から垂下したフランジの下端に形成されているとした構成にあっては、タブを、フランジの形状に沿う垂直姿勢として、蓋体側の係止凸片と容器本体側の被係止部との係止が行われるが、この際に蓋体全体に僅かに張力が作用した状態で閉蓋状態とすることができるため、蓋体が簡単に外れて開封しまうことを防止することができる。
【００２８】
また、係止部が、折り返し部を介して垂直姿勢と水平姿勢との間で遷移可能とされているとした構成にあっては、被係止部を含むタブの姿勢を垂直姿勢及び水平姿勢に設定することができ、調理をする者によるタブの姿勢選択の幅を広げることができる。このため、例えば、狭い台の上に複数のカップ状容器を並べて調理しなければならない状況にあっては、タブの姿勢として垂直姿勢を選択することにより、狭い台の上でも複数のカップ状容器を同時に調理することが可能となる。
【図面の簡単な説明】
【００２９】
【図１】本発明のカップ状容器の第１実施例を示す斜視図である。
【図２】図１に示すカップ状容器の平面図である。
【図３】図１に示すカップ状容器の縦方向の半断面図である。
【図４】図１に示すカップ状容器の要部を拡大して示す部分断面図である。
【図５】本発明の第２実施例としてのカップ状容器を拡大して示しており、Ａは部分平面図、Ｂは縦方向の部分断面図である。
【図６】本発明の第３実施例としてのカップ状容器の要部を拡大して示す部分断面図である。
【発明を実施するための形態】
【００３０】
以下、本発明の実施の形態について図面を参照しつつ説明する。
図１は本発明のカップ状容器の第１実施例を示す斜視図、図２は図１に示すカップ状容器の平面図、図３は図１に示すカップ状容器の縦方向の半断面図、図４は図１に示すカップ状容器の要部を拡大して示す部分断面図である。
図１に示すように、本発明のカップ状容器１は、カップ麺などの即席食品、スープの素及びその他の具材を収納する開口部２ａを備えた容器本体２と、このカップ状容器１を封止するシート状の蓋体７とを有して構成される。
【００３１】
この実施例では、容器本体２が、略円筒状からなる側壁３と円盤状の底壁４とからなる有底筒形状をしたものとして説明するが、容器本体２の形状は有底筒形状に限られるものではなく、例えば底部が丸い形状からなるいわゆるドンブリ形状を含むものであり、いわば有底カップ状である。容器本体２の上縁部、すなわち側壁３の上端には、外周方向にリング状に迫り出すフランジ５が一体に周設されており、このフランジ５の上面が蓋体７との接合面５ａである。
【００３２】
容器本体２は、例えば熱成形法や射出成形法により形成されている。容器本体２の材料としては、例えばシート状の合成樹脂、発砲スチロールなどを用いて形成されている。合成樹脂製の場合は単層構造であってもよいし、積層構造であってもよい。なお、容器本体２は紙材を用いて形成されたものであってもよい。
【００３３】
蓋体７は、例えばシート状のアルミ箔、紙材及び合成樹脂のうちの２種以上を接合して製造される合成シートから形成されている。図１及び図２に示すように、蓋体７の周方向の一箇所の位置には、指先で摘んで蓋体７の開蓋作業及び閉蓋作業を行うためのタブ８が、外周方向に凸状に突出する状態で一体に形成されている。この実施例では、タブ８に半円形状からなるスリット９が切り込まれることによる係止凸片１０が形成されている。なお、係止凸片１０を形成するスリット９の形状は半円形状に限られるものではなく、三角形状、四角形状などその他の凸形状であってもよい。
【００３４】
カップ状容器１は、容器本体２の開口部２ａ内に即席食品、スープの素、スパイス及びその他の具材を収納した後に、蓋体７がフランジ５の接合面５ａに熱溶着等の手段により固着されて封止される。タブ８は、接合面５ａと接触する部分のみが接合状態にあり、フランジ５の外側に突出している部分は非接合状態にある。
【００３５】
カップ状容器１で調理するには、先ず蓋体７の一部を部分的に剥がして開口部２ａを部分的に露出させる。次に、容器本体２からスープの素、スパイス及びその他の具材等が入った袋体を取り出し、これら袋体の封を切って中身だけを容器本体２に戻す。そして、容器本体２内にお湯を注ぎ、閉蓋状態を保持しながら所定時間蒸した後、蓋体７を大きく開封することにより食することが可能となる。
【００３６】
ここで、蓋体７の部分的な開封による開蓋作業は、タブ８を摘みながら容器本体２から離れる上方に強く引き上げることにより行うことができ、この際蓋体７がフランジ５の接合面５ａから剥離して開蓋状態に設定される。
【００３７】
図４に示すように、第１実施例に示すフランジ５には折り返し部５ｃが設けられ、フランジ５の先端はこの折り返し部５ｃを基点に垂下する方向に折り曲げられている。第１実施例では、この垂下方向に折り曲げられたフランジ５の先端部分が被係止部５ｂを構成しており、被係止部５ｂはフランジ５の全周に亘って形成されている（図３参照）。
【００３８】
そして、図４に示すように、非接合状態にあるタブ８を、フランジ５の形状に倣いながら折り返し部５ｃから図示α１方向に折り曲げると共に係止凸片１０を押し込み変形させた状態で、係止凸片１０とこの係止凸片１０以外のタブ８との間にフランジ５側の被係止部５ｂを挟み込むという簡単な操作により、被係止部５ｂと係止凸片１０とを係止状態に設定することができ、これにより蓋体７の閉蓋状態の保持が可能となる。
なお、第１実施例では、被係止部５ｂがフランジ５の全周に亘って形成されているので、タブ８の形成位置は蓋体７の周方向のいずれの位置であってもよい。
【００３９】
蓋体７を再び開封するには、タブ８を図４にてα２方向に持ち上げる操作を行うだけでよく、この操作によって係止凸片１０が被係止部５ｂから簡単に外れて閉蓋状態の保持を終了させることが可能となる。
【００４０】
次に、本発明の第２実施例について説明する。
図５は本発明の第２実施例としてのカップ状容器を拡大して示しており、Ａは部分平面図、Ｂは縦方向の部分断面図である。
第２実施例に示すカップ状容器１が第１実施例と異なる点は、図５Ａに示すように、フランジ５の周方向の一箇所の位置に水平方向に凸状に突出する被係止部５ｂを形成した点にあり、その他の構成は上記第１実施例と同様である。なお、タブ８は、被係止部５ｂと周方向の同じ位置、すなわちタブ８と被係止部５ｂとが積層方向にて重なる位置に形成されている。
【００４１】
第２実施例に示すカップ状容器１では、図５Ｂに示すように、係止凸片１０を下方に押し込み変形させた状態で、開蓋状態にあるタブ８を水平姿勢に戻すことにより、係止凸片１０とこの係止凸片１０以外のその他のタブ８との間に凸状の被係止部５ｂを挟み込まれて係止状態に至って、蓋体７の閉蓋状態の保持が可能となる。
【００４２】
蓋体７を再び開封するには、水平姿勢のタブ８を上方に引き上げるという簡単な操作を行うだけでよく、第１実施例の場合と同様に、閉蓋状態の保持を終了させることが可能である。
【００４３】
次に、本発明の第３実施例について説明する。
図６は本発明の第３実施例としてのカップ状容器の要部を拡大して示す部分断面図である。
本発明の第３実施例が、第１実施例と異なる点は、折り返し部５ｃを支点としてフランジ５の先端である被係止部５ｂを水平姿勢又は垂直姿勢に遷移可能に設定されている点にあり、その他の構成は上記第１実施例と同様である。
【００４４】
第３実施例では、被係止部５ｂを垂直姿勢にすることを選択したときには、上記第１実施例の場合同様の方法により閉蓋状態を保持することができ、被係止部５ｂの姿勢を水平姿勢にすることを選択したときには、上記第２実施例の場合同様の方法により閉蓋状態を保持することができる。
【００４５】
フランジ５の先端を水平姿勢と垂直姿勢とのいずれにするかは、このカップ状容器１を用いて即席食品の調理を行う者が、調理する状況等に応じて適宜選択することが可能である。
【００４６】
以上、実施例に沿って本発明の構成とその作用効果について説明したが、本発明の実施の形態は上記実施例に限定されるものではない。
【００４７】
例えば上記第１実施例では、被係止部５ｂがフランジ５の全周に亘って垂下状に形成される構成を示して説明したが、本発明はこれに限定されるものではなく、被係止部５ｂがフランジ５の周方向のいずれか一箇所の位置に形成される構成であってもよい。この場合、蓋体７側のタブ８は、周方向において被係止部５ｂと同じ位置に形成する必要がある。この構成では、フランジを形成する材料を少なくすることができるため、全体的な製造コストを低減することが可能となる。
【００４８】
またこれとは逆に、上記第２実施例では、水平に突出する被係止部５ｂが、フランジ５の周方向の一箇所の位置に形成された構成を示して説明したが、本発明はこれに限られるものではなく、被係止部５ｂが全周に亘って形成される構成であってもよい。この場合、蓋体７と物理的に接合しない接合面５ａよりも外側のリング状の部分が被係止部５ｂに相当することになる。
【産業上の利用可能性】
【００４９】
本発明の閉蓋状態保持機能付きカップ状容器は、カップ麺等の即席食品を包装する分野における用途展開をさらに広い領域で図ることができる。
【符号の説明】
【００５０】
１    ；カップ状容器
２    ；容器本体
３    ；側壁
４    ；底壁
５    ；フランジ
５ａ  ；接合面
５ｂ  ；被係止部
５ｃ  ；折り返し部
７    ；蓋体
８    ；タブ
９    ；スリット
１０  ；係止凸片
【図１】
2012176792.tif 000003
【図２】
2012176792.tif 000004
【図３】
2012176792.tif 000005
【図４】
2012176792.tif 000006
【図５】
2012176792.tif 000007
【図６】
2012176792.tif 000008